(57)【要約】【課題】作業手袋を装着したままで鉛筆やカッターなどの作業用品を容易に取り出すことができ、また、容易に収納することのできる収納部を設けた作業手袋を提供する。【解決手段】手袋本体１の甲部に、鉛筆、カッターあるいは手ばさみなどの作業用品Ｓの一部または全部を取出し自在に収納することのできる筒状または袋状の収納部１０を取付けた作業手袋において、収納部１０の取付けを、その周端部の一部である解放部１６を除く部分に沿って、手袋本体１に連続固定手段１４によって連続的に固定して行う。【選択図】        図１
2006176933.tif 000002
【特許請求の範囲】
【請求項１】
手袋本体（１）の甲部に，鉛筆，カッターあるいは手ばさみなどの作業用品（Ｓ）の一部または全部を取出し自在に収納することのできる筒状または袋状の収納部（１０）を取付けた作業手袋において、
前記収納部の取付けを，その周端部の一部である解放部（１６）を除く部分に沿って，前記手袋本体に連続固定手段（１４）によって連続的に固定して行ってなる収納部付き作業手袋。
【請求項２】
手袋本体（１）の甲部に，鉛筆，カッターあるいは手ばさみなどの作業用品（Ｓ）の一部または全部を取出し自在に収納することのできる筒状または袋状の収納部（１０）を取付けた作業手袋において、
前記収納部の取付けを，少なくとも，その略周端部の解放部（１６）を除く部分に沿って，前記手袋本体に部分固定手段（１５）によって部分的に固定して行ってなる収納部付き作業手袋。
【請求項３】
収納部（１０）を，手袋本体（１）に取付けた平板状の底板部材（１１）と，前記底板部材（１１）の上面に設けた上部材（１２）とで一体成形し，または分割成形した後，連続固定手段（１４）または部分固定手段（１５）で一体化し、
前記収納部の少なくとも挿入口（１３）では，底板部材を上部材よりも外側まで設けて受け部（１１ａ）を形成してなる請求項１または２に記載の収納部付き作業手袋。
【請求項４】
収納部（１０）の一部または全部を、弾力性に富み、滑り止め効果の高い材料で形成してなる請求項１、２または３に記載の収納部付き作業手袋。
【請求項５】
収納部（１０）の一部または全部に磁性を持たせてなる請求項１、２、３または４に記載の収納部付き作業手袋。
【請求項６】
部分固定手段（１５）を、鳩目、フック、ホック、縫合、熱による融着あるいは接着剤による接着、又は面ファスナーによって行ってなる請求項２、３、４または５に記載の収納部付き作業手袋。
【発明の詳細な説明】
【技術分野】
【０００１】
本発明は、鉛筆、ボールペン、カッターあるいは手ばさみを始めとする各種の作業用品を収納することのできる収納部を設けた作業手袋に関するものである。
【背景技術】
【０００２】
従来から、メリヤス製縫い合わせ手袋や編み手袋の表面に、塩ビ製やゴム製などの補強シートを貼り付けたり、液状ポリマーに浸漬して補強シートを形成した作業手袋や、一部あるいは全体を革製とした作業手袋など、あらゆる種類の作業手袋が各種の分野で広く使用されている。
【０００３】
こうしたあらゆる種類の作業手袋を使用して各種の作業を行う場合、鉛筆、ボールペン、カッターあるいは手ばさみを始めとする各種の作業用品を使用する必要がある場合が多々あるが、こうした作業用品は、一般に作業着のポケット等に収納している。
【発明の開示】
【発明が解決しようとする課題】
【０００４】
しかし、鉛筆やカッターなどの作業用品を作業着のポケット等に収納して作業を行う場合、作業手袋を装着したまま当該作業用品を取り出して使用し、使用後に再び元の場所に収納することは案外厄介であり、手間取る。そのため、作業手袋を外して作業用品を取り出した後、再び作業手袋を装着するといった面倒な動作が必要であった。
【０００５】
本発明はこうした問題に鑑み創案されたもので、作業手袋を装着したままで鉛筆やカッターなどの作業用品を容易に取り出すことができ、また、容易に収納することのできる収納部を設けた作業手袋を提供することを課題とする。
【課題を解決するための手段】
【０００６】
図１乃至図１２を参照して説明する。請求項１に記載の収納部付き作業手袋は、手袋本体１の甲部に、鉛筆、カッターあるいは手ばさみなどの作業用品Ｓの一部または全部を取出し自在に収納することのできる筒状または袋状の収納部１０を取付けた作業手袋において、前記収納部１０の取付けを、その周端部の一部である解放部１６を除く部分に沿って、前記手袋本体１に連続固定手段１４によって連続的に固定して行ってなるものである。
【０００７】
請求項２に記載の収納部付き作業手袋は、手袋本体１の甲部に、鉛筆、カッターあるいは手ばさみなどの作業用品Ｓの一部または全部を取出し自在に収納することのできる筒状または袋状の収納部１０を取付けた作業手袋において、前記収納部１０の取付けを、少なくとも、その略周端部の解放部１６を除く部分に沿って、前記手袋本体１に部分固定手段１５によって部分的に固定して行ってなるものである。
【０００８】
請求項３に記載の収納部付き作業手袋は、請求項１または２に記載の発明において、収納部１０を、手袋本体１に取付けた平板状の底板部材１１と、前記底板部材１１の上面に設けた上部材１２とで一体成形し、または分割成形した後、連続固定手段１４または部分固定手段１５で一体化し、前記収納部１０の少なくとも挿入口１３では、底板部材１１を上部材１２よりも外側まで設けて受け部１１ａを形成してなるものである。
【０００９】
請求項４に記載の収納部付き作業手袋は、請求項１、２または３に記載の発明において、収納部１０の一部または全部を、弾力性に富み、滑り止め効果の高い材料で形成してなるものである。これらの材料としては、塩ビやゴムあるいはウレタンなどがある。
【００１０】
請求項５に記載の収納部付き作業手袋は、請求項１、２、３または４に記載の発明において、収納部１０の一部または全部に磁性を持たせてなるものである。磁性を持たせるには、収納部１０の一部または全部を磁性素材を有する材料で形成したり、部分的に磁性素材を混在させたりすることによって行うことができる。
【００１１】
請求項６に記載の収納部付き作業手袋は、請求項２、３、４または５に記載の発明において、部分固定手段１５を、鳩目、フック、縫合、熱による融着あるいは接着剤による接着、又は面ファスナーによって行ってなるものである。
【発明の効果】
【００１２】
請求項１に記載の発明は、手袋本体１の甲部に、鉛筆、カッターあるいは手ばさみなどの作業用品Ｓの一部または全部を取出し自在に収納することのできる筒状または袋状の収納部１０を取付けた作業手袋において、収納部１０の取付けを、その周端部の一部である解放部１６を除く部分に沿って、手袋本体１に連続固定手段１４によって連続的に固定して行っているので、作業用品Ｓを常に容易に収納部１０に収納することができる。
【００１３】
すなわち、人の手の甲は凸状の湾曲形状を形成しており、作業手袋の甲部に収納部１０を、その底面の全体あるいはその周端部の全域にわたって接着あるいは縫合する等して取付けた場合、手袋本体１は手の甲に沿って湾曲に変形し、また、当該手袋本体１の湾曲変形に沿って、収納部１０も同様に湾曲変形する。この傾向は、特に手の甲の大きい人で顕著である。そのため、収納部１０が手袋本体１と同じように湾曲変形してしまうと、当該収納部１０は潰れた状態となって、その挿入口１３が塞がれる。従って、当該挿入口１３から作業用品Ｓを収納することが困難になってしまう。
【００１４】
この点、本発明においては、収納部１０の取付けを、その周端部の解放部１６を除く部分に沿って、手袋本体１に連続固定手段１４によって固定して行っており、解放部１６では、収納部１０は手袋本体１に固定されていない。また、手袋本体１と収納部１０との間には、連続固定手段１４によって固定された部分を除いて大きな自由空間部１７が形成される。そのため、収納部１０は、この解放部１６および自由空間部１７のはたらきによって、手袋本体１の湾曲変形に影響を受け難い。その結果、例えば、作業者が手を丸めてその甲が凸状に湾曲し、その湾曲変形によって手袋本体１が同様に湾曲変形しても、収納部１０はその影響を受け難い。従って、潰れることなく原形を維持することができ、その挿入口１３から作業用品Ｓを容易に収納することができる。
【００１５】
なお、収納部１０は、少なくとも、その周端部の一部を除く部分に沿って手袋本体１に線状に固定しているので、当該手袋本体１に強固に取付けることができる。
【００１６】
請求項２に記載の発明は、収納部１０の取付けを、少なくとも、その略周端部の解放部１６を除く部分に沿って、手袋本体１に部分固定手段１５によって部分的に固定して行っているので、同様に、作業用品Ｓの収納を容易に行うことができる。
【００１７】
すなわち、手袋本体１が手の甲に沿って凸状に湾曲しても、解放部１６および自由空間部１７の存在によって、当該収納部１０は手袋本体１の影響を受け難く、よって収納部１０は原形を維持することができる。その結果、その挿入口１３から作業用品Ｓを容易に挿入して収納することができる。
【００１８】
請求項３に記載の発明は、収納部１０を、手袋本体１側に取付けた平板状の底板部材１１と、この底板部材１１の上面に設けた上部材１２とで形成したので、例えば、手袋本体１がメリヤス製などの剛性が小さいものであっても、作業用品Ｓを確実に収納することができる。
【００１９】
また、少なくとも挿入口１３では、底板部材１１を上部材１２よりも外側まで設けて受け部１１ａを形成しているので、例えば、鉛筆などの先端が鋭利な作業用品Ｓを、その鋭利な部分から収納する場合に、当該鋭利な部分を挿入口１３から外しても、それを受け部１１ａが受けるので、手を保護することができる。従って、安全性に優れる。
【００２０】
請求項４に記載の発明は、収納部１０の一部または全部を、弾力性に富み、滑り止め効果の高い材料で形成しているので、作業用品Ｓを取出し、あるいは収納する際に弾性変形するので、取出しおよび収納を容易に行うことができる。また、収納状態にある作業用品Ｓを、その弾力で保持し、滑りを止めるので確実かつ強固に保持することができる。
【００２１】
請求項５に記載の発明は、収納部１０の一部または全部に磁性を持たせているので、例えば、金属製のゲージ等を収納する場合、その磁力によっても作業用品Ｓを落下させることなく確実に収納することができる。
【００２２】
請求項６に記載の発明は、部分固定手段１５を、鳩目、フック、ホック、縫合、熱による融着あるいは接着剤による接着、又は面ファスナーによって行うので、そのうち、鳩目やフックあるいはホック、又は面ファスナーによって行う場合には、収納部１０を手袋本体１から、また、上部材１２を底板部材１１から離脱することができるので、例えば、作業用品Ｓを使用する必要がないため、収納部１０が不要な場合には、当該収納部１０を手袋本体１から外しておくことができるので便利である。また、手袋本体１を洗濯する場合にも、収納部１０を外しておくことができる。さらに、収納部１０の底板部材１１と上部材１２を、鳩目、フックあるいはホック、又は面ファスナーで固定した場合には、例えば、収納部１０の内部に小さな異物などが詰まった場合に、上部材１２を離脱させてその異物を容易に除去することができるので便利である。
【発明を実施するための最良の形態】
【００２３】
本発明に係る収納部付き作業手袋の第一実施形態を、図１乃至図３に示す。
これは、手袋本体１の甲部に、鉛筆、カッターあるいは手ばさみなどの作業用品Ｓの一部または全部を取出し自在に収納することのできる筒状の収納部１０を取付けた作業手袋である。この収納部１０は、平面四角形状で平板状の底板部材１１と、正面略逆Ｕ字状の上部材１２とを一体的に成形して構成している。そして、底板部材１１の一部を除く部分（すなわち、挿入口１３が位置する部分と対向する部分）を除く三辺を、連続固定手段１４の一つである縫合によって線状に固定している。なお、連続固定手段１４としては、縫合の他に、熱による融着や接着剤による接着などがある。
【００２４】
本実施形態では、こうした構成とすることにより、解放部１６を、収納部１０が手袋本体１に固定されていない部分とすることができる。また、連続固定手段１４で固定した部分を除いて、手袋本体１と収納部１０との間には大きな自由空間部１７が形成される。従って、作業者が手を丸めてその甲が凸状の曲面を形成し、その曲面によって手袋本体１が同様の曲面を形成しても、収納部１０はその影響を受け難く、よって潰れることなく原形を維持することができる。その結果、収納部１０の挿入口１３から作業用品Ｓを容易に収納することができる。
【００２５】
また、本実施形態では、収納部１０を、手袋本体１に取付けた平板状の底板部材１１と、底板部材１１の上面に設けた上部材１２とで形成しているので、例えば、手袋本体１がメリヤス製などの柔軟な材料であっても、底板部材１１によって十分な剛性を与えることができ、作業用品Ｓを確実に保持することができる。
【００２６】
さらに、本実施形態では、収納部１０の挿入口１３において、底板部材１１を上部材１２よりも外側まで大きく設けて受け部１１ａを形成している。これによって、例えば、鉛筆などの先端が鋭利な作業用品Ｓを収納する際、誤って挿入口１３から外してしまっても、その先端を受け部１１ａが受けるので、手に突き刺してしまうといった事故を防ぐことができる。
【００２７】
また、本実施形態においては、収納部１０の全部を、弾力性に富み、滑り止め効果の高い材料であるゴムで形成している。これにより、作業用品Ｓの収納および取出しを確実で容易なものとすることができる。
【００２８】
なお、収納部１０の一部または全部に磁性を持たせることもできる。こうすることによって、例えば、ゲージ等の金属製の作業用品Ｓを、磁力によっても保持することができるので、より安定姿勢で確実に収納することができる。
【００２９】
本発明に係る収納部付き作業手袋の第二実施形態を、図４に示す。この作業手袋は、手袋本体１の甲部に、鉛筆、カッターあるいは手ばさみなどの作業用品Ｓの一部を取出し自在に収納することのできる筒状の収納部１０を取付けた作業手袋であり、収納部１０の取付けを、その周端部に沿って、手袋本体１に部分固定手段１５によって、所定間隔を開けて部分的に固定して行ったものである。部分固定手段１５としては、縫合、融着、接着の他に、鳩目やフック，ホック、又は面ファスナーを使用して行うものがある。
【００３０】
この収納部１０は、平面五角形状の底板部材１１と、それに一体成形された正面円弧状の上部材１２とで構成され、底板部材１１の各角部を部分固定手段１５によって手袋本体１に取付けている。
【００３１】
この作業手袋においては、収納部１０と手袋本体１とが部分固定手段１５によって部分的に固定されており、両者の間には解放部１６と自由空間部１７が存在するので、手袋本体１が凸状の曲面に変形しても、収納部１０はその影響を受け難く原形を維持することができる。従って、作業用品Ｓをその挿入口１３から容易に収納することができる。
【００３２】
本発明に係る収納部付き作業手袋の他の実施形態を、図５および図６に示す。図５に示すものは、収納部１０を形成する底板部材１１と上部材１２を一体成形したものであり、図６に示すものは、底板部材１１と上部材１２を分割成形して、両者を組付けたものである。
【００３３】
図５に示す実施形態のうち、（ａ）は、平面四角形状の底板部材１１の三辺を縫合による連続固定手段１４によって手袋本体１に取付けたものであり、（ｂ）は、二辺を縫合したものである。また、（ｃ）は、底板部材１１の四隅を部分固定手段１５によって取付けたものである。さらに、（ｄ）は、平面五角形状の底板部材１１の四辺を、連続固定手段１４によって取付けたものであり、（ｅ）は、その二辺を連続固定手段１４によって取付けたものである。
【００３４】
また、図６に示す実施形態のうち、（ａ）は、上部材１２の四隅を底板部材１１に部分固定手段１５によって取付け、底板部材１１の三辺を手袋本体１に連続固定手段１４によって取付けたものである。この場合、底板部材１１を全面固着で固定し、上部材１２のみを部分固定手段１５によって取付け、底板部材１１と上部材１２との間に解放部１６を設ける事も当然可能である。また、（ｂ）および（ｃ）は、上部材１２の四隅を底板部材１１に部分固定手段１５によって取付け、底板部材１１の四隅を手袋本体１に同じく部分固定手段１５によって取付けたものである。さらに、（ｄ）は、上部材１２の二辺を連続固定手段１４によって底板部材１１に取付け、当該平面五角形の底板部材１１の四辺を手袋本体１に同じく連続固定手段１４によって取付けたものである。また、（ｅ）は、上部材１２の二辺を底板部材１１に、また、底板部材１１の二辺を手袋本体１に、それぞれ連続固定手段１４によって取付けたものである。
【００３５】
本発明における収納部１０は、底板部材１１と上部材１２を一体成形によって形成することもできるし、また、分割成形して組付けることもできるが、その形態例を図７乃至図１１に示す。いずれの場合も、（ａ）が一体成形したものを示し、（ｂ）が分割成形したものを示す。なお、図７乃至図１０に示すものは筒状の収納部１０であり、図１１（ａ）に示すものは，後端が密閉された袋状の収納部１０であり、図１１（ａ）に示すものは，両端が密閉された袋状の収納部１０である。
【００３６】
また、本発明における収納部１０は、筒状のものに限定されず、図１２に示すように、平板状の底板部材１１と、袋状の上部材１２を組合わせて形成することもできる。この収納部１０は、ナイフやはさみ等の先端が鋭利な作業用品Ｓを収納するのに適している。なお、この収納部１０も、一体成形および分割成形のいずれによっても形成することができる。
【００３７】
本発明に係る収納部付き作業手袋は、次のようにして製造することができる。
（イ）ゴム張り手袋のように未加硫ゴムを手袋本体１に接着または融着させて熱加硫成形するものでは、同じ未加硫ゴムシートを用いて手袋本体１の甲部に収納部１０を形成することができる。その場合、収納部１０の底板部材１１と手袋本体１との間、および底板部材１１と上部材１２との間の所定部分に、離型材を挟んた状態で熱加硫し、熱加硫終了後、離型材を除く。これによって、手袋本体１の甲部に、連続固定手段１４または部分固定手段１５によって収納部１０を取付けた作業手袋を製造することができる。
【００３８】
（ロ）滑り止め手袋、ディッピング手袋のように手袋本体１を液状ポリマーに浸漬または塗布した後、加熱成形するものは、収納部１０を接着や縫合で取付けることもできるし、また、離型材を挟んで液状ポリマーを浸漬または塗布して加熱成形した後、離型材を取除いて取付けることもできる。
【００３９】
（ハ）また、掌部に設ける補強材と同一の素材を用いて、甲部に収納部１０の底板部材１１を先に形成し、熱成形後に上部材１２を取付ける場合においても、上部材１２の周端部の所定箇所を固着するか、あるいは、離型材を挟んで固着した後、離型材を取り除くことによって製造することができる。
【００４０】
（ニ）あらかじめ形成した収納部１０を，革手袋等加熱成形しない手袋本体１に取付ける場合には、収納部１０をインジェクション成形等によって底板部材１１と上部材１２を一体成形したり、両者を分割成形して組付けるが、この収納部１０は、ゴムシート、ゴムチューブ、織ゴム等の伸縮素材で形成することができる。また、底板部材１１と手袋本体甲部，及び底板部材１１と上部材１２の組付けは、接着、融着、縫い付け（縫合）、鳩目、フック、ホック、面ファスナーなど、収納部１０を手袋本体１に取付ける手段に応じて選択することができる。
【産業上の利用可能性】
【００４１】
本発明に係る収納部付き作業手袋は、いわゆる作業用の手袋の他に、一般用の手袋にも適用することができる。すなわち、一般用の手袋に、本発明における収納部１０を設けて、その収納部１０に筆記用具などを収納することができる。
【図面の簡単な説明】
【００４２】
【図１】本発明に係る収納部付き作業手袋の第一実施形態を示す斜視図である。
【図２】図１に示す作業手袋の要部平面図である。
【図３】図２のＡ−Ａ線断面図である。
【図４】本発明に係る収納部付き作業手袋の第二実施形態を示す斜視図である。
【図５】本発明に係る収納物付き作業手袋の他の実施形態を示す要部斜視図である（収納部を一体成形したもの）。
【図６】本発明に係る収納物付き作業手袋のさらに他の実施形態を示す要部斜視図である（収納部を分割成形したもの）。
【図７】本発明における収納部の実施形態を示すもので、（ａ）は一体成形したもの、（ｂ）は分割成形したものを示す斜視図である。
【図８】本発明における収納部の実施形態を示すもので、（ａ）は一体成形したもの、（ｂ）は分割成形したものを示す斜視図である。
【図９】本発明における収納部の実施形態を示すもので、（ａ）は一体成形したもの、（ｂ）は分割成形したものを示す斜視図である。
【図１０】本発明における収納部の実施形態を示すもので、（ａ）は一体成形したもの、（ｂ）は分割成形したものを示す斜視図である。
【図１１】本発明における収納部の実施形態を示すもので、（ａ）は一体成形したもの、（ｂ）は分割成形したものを示す斜視図である。
【図１２】本発明における収納部の他の実施形態を示す要部斜視図である。
【符号の説明】
【００４３】
１        手袋本体
１０      収納部
１１      底板部材
１１ａ    受け部
１２      上部材
１３      挿入口
１４      連続固定手段
１５      部分固定手段
１６      解放部
１７      自由空間部
Ｓ        作業用品
【図１】
2006176933.tif 000003
【図２】
2006176933.tif 000004
【図３】
2006176933.tif 000005
【図４】
2006176933.tif 000006
【図５】
2006176933.tif 000007
【図６】
2006176933.tif 000008
【図７】
2006176933.tif 000009
【図８】
2006176933.tif 000010
【図９】
2006176933.tif 000011
【図１０】
2006176933.tif 000012
【図１１】
2006176933.tif 000013
【図１２】
2006176933.tif 000014